(57)【要約】【課題】機器の使用案内情報を適切に出力して、推奨される使用方法で機器が使用されるようにする。【解決手段】コンピュータ１１は、プリンタ２５に対して接続可能となっている。コンピュータ１１の制御部１２は、入力部１４を介してプリンタ２５の使用方法を示す電子マニュアルの起動用操作信号を受信する。制御部１２は、起動用操作信号を受信すると、ＨＤ２３の電子マニュアル起動プログラムに従って、時計１６から、起動用操作信号を入力した時間を取得する。そして、制御部１２は、取得した時間が、昼間の時間帯であるか、夜間の時間帯であるかを判別し、判別した時間帯に応じてＨＤ２３に記憶されている複数のファイルから１つを選択して実行する。ファイルが実行されると、表示部１５から時間帯に応じた画像が表示される。【選択図】      図１
2004206457.tif 000002
【特許請求の範囲】
【請求項１】
機器に関する複数の使用案内情報を記憶する記憶手段と、前記使用案内情報を出力する出力手段とを備えた使用案内情報出力装置において、
前記使用案内情報の出力要求信号を受信する受信手段と、
前記出力要求信号を受信した時に対応する時間帯を判別する時間帯情報判別手段と、
前記記憶手段から、前記時間帯情報判別手段において判別された時間帯に対応する前記使用案内情報を選択し、前記出力手段から出力する出力情報選択手段とを備えたことを特徴とする使用案内情報出力装置。
【請求項２】
請求項１に記載の使用案内情報出力装置において、
前記時間帯は、昼間であるか夜間であるかを示す時間帯であることを特徴とする使用案内情報出力装置。
【請求項３】
請求項１又は２に記載の使用案内情報出力装置において、
前記使用案内情報は、前記機器を静音で使用することを推奨する静音使用案内情報を備えることを特徴とする使用案内情報出力装置。
【請求項４】
機器に関する複数の使用案内情報を記憶する記憶手段と、前記使用案内情報を出力する出力手段とを備えた使用案内情報出力装置において、
前記使用案内情報の出力要求信号を受信する受信手段と、
前記出力要求信号を受信するときの前記機器の使用環境を示す使用環境情報を取得する使用環境情報取得手段と、
前記記憶手段から、前記使用環境情報の使用環境に対応する前記使用案内情報を選択し、前記出力手段から出力する出力情報選択手段と
を備えたことを特徴とする使用案内情報出力装置。
【請求項５】
請求項４に記載の使用案内情報出力装置において、
前記使用環境情報は、少なくとも、気温、地理的環境、あるいは、天候に関する情報であることを特徴とする使用案内情報出力装置。
【請求項６】
使用案内情報出力装置の記憶手段に複数記憶されている機器の使用案内情報を、前記使用案内情報出力装置の出力手段を介して出力する使用案内情報出力方法において、
前記使用案内情報の出力要求信号を受信する受信段階と、
前記出力要求信号を受信した時に対応する時間帯を判別する時間帯情報判別段階と、
前記記憶手段から、前記時間帯情報判別段階において判別された時間帯に対応する前記使用案内情報を選択し、前記出力手段から出力する出力情報選択段階とを備えたことを特徴とする使用案内情報出力方法。
【請求項７】
使用案内情報出力装置の記憶手段に複数記憶されている機器の使用案内情報を、前記使用案内情報出力装置の出力手段を介して出力するためのプログラムにおいて、
前記使用案内情報出力装置を、
前記使用案内情報の出力要求信号を受信する受信手段、
前記出力要求信号を受信した時に対応する時間帯を判別する時間帯情報判別手段、
前記記憶手段から、前記時間帯情報判別手段によって判別された時間帯に対応する前記使用案内情報を選択し、前記出力手段から出力する出力情報選択手段
として機能させることを特徴とするプログラム。
【発明の詳細な説明】
【０００１】
【発明の属する技術分野】
本発明は、使用案内情報出力装置、使用案内情報出力方法及びプログラムに関する。
【０００２】
【従来の技術】
電子機器等に代表される機器のマニュアルを電子化し、コンピュータを利用して出力装置から出力することが広く行われている（例えば、特許文献１参照。）。そして、このような電子マニュアルにおいては、出力装置の制約により、一度に出力できる情報量が限られてしまうという問題があった。例えば、出力装置として、ディスプレイを用いた場合には、ディスプレイの大きさが限られているため、一度に表示できる情報量が少なくなっていた。
【０００３】
そこで、電子マニュアルを、ＨＴＭＬ（Hyper Text Markup Language）を使用して作成し、専用の閲覧ソフトウェアを使用してディスプレイに表示させるようにしたものがあった。これによれば、文書の任意の場所に、他の文書の位置情報を埋め込み、複数の文書を相互に連結できる、いわゆる、ハイパーテキストといわれる機能を使用することができるようになっていた。そして、リンクをたどって次々とディスプレイ上に複数の文書を表示することが可能であった。この結果、限られた表示範囲であっても、大量の情報を取り扱うことが可能となっていた。
【０００４】
【特許文献１】
特開平１１−５３３７７号公報
【０００５】
【発明が解決しようとする課題】
ところで、上記従来の電子マニュアルを備えた機器の中には、その使用時期や使用環境によって、推奨される使用方法が変化するものがあった。例えば、夜間にはサイレントモードで使用することが望まれたり、気温が高い場合には、耐熱性を有する部品を使用することが望まれたりするものがあった。
【０００６】
そして、ユーザが、以上のような使用方法を採用するためには、上記従来の電子マニュアルを使用して、その使用方法について調べる必要があった。すなわち、ユーザは、前記のようなリンクをたどり、自らの目的に添った文書を探し出さなければならなかった。
【０００７】
ところが、上記従来の電子マニュアルは、リンクされた複数の文書間を、手作業による操作で行ったり来たりしながら目的の文書を探し出さなければならないため、手間となることがあった。そして、その結果、ユーザが所望する使用案内情報を上手く探し出すことができない可能性があった。
【０００８】
さらに、以上のような推奨される使用方法の存在自体にユーザが気づかず、上記の電子マニュアルを調べることすらしないことも考えられた。従って、ユーザに対して推奨される使用方法があっても、その使用方法の使用の機会が失われてしまう可能性があった。
【０００９】
本発明は、上述の課題を解決するためになされ、その目的は、機器の使用案内情報を適切に出力して、推奨される使用方法で機器が使用されるようにする使用案内情報出力装置、使用案内情報出力方法及びプログラムを提供することにある。
【００１０】
【課題を解決するための手段】
本発明は、機器に関する複数の使用案内情報を記憶する記憶手段と、前記使用案内情報を出力する出力手段とを備えた使用案内情報出力装置において、前記使用案内情報の出力要求信号を受信する受信手段と、前記出力要求信号を受信した時に対応する時間帯を判別する時間帯情報判別手段と、前記記憶手段から、前記時間帯情報判別手段において判別された時間帯に対応する前記使用案内情報を選択し、前記出力手段から出力する出力情報選択手段とを備えた。
【００１１】
従って、本発明によれば、入力手段が出力要求信号を入力した時間帯に適した使用案内情報が出力手段から出力される。この結果、機器の使用案内情報が、時間帯に応じて選択されて出力手段から出力されるので、時間帯によって変化する機器の使用案内情報を的確に把握することができる。そして、時間帯によって変化する機器の最適な使用方法を推奨することができ、機器が効果的に使用されるようになる。
【００１２】
この使用案内情報出力装置において、前記時間帯は、昼間であるか夜間であるかを示す時間帯である。
これによれば、昼間と夜間とによって変化する機器の使用案内情報を的確に出力手段から出力させることができる。その結果、例えば、夜間には、機器を静かに使用させることが望まれる可能性があるので、夜間に出力要求信号を入力した場合には、静音で使用するための使用案内情報を優先的に出力手段から出力させることができるようになる。従って、時間帯によって変化する機器の機能の使用を推奨することができ、機器が効果的に使用されるようになる。
【００１３】
この使用案内情報出力装置において、前記使用案内情報は、前記機器を静音で使用することを推奨する静音使用案内情報を備える。
これによれば、静音使用案内情報を出力手段から出力させるか否かを、時間帯によって変化させることができる。その結果、例えば、夜間には、機器を静かに使用させることが望まれる可能性が高いので、夜間に積極的に静音使用案内情報が表示されるように調整することができる。従って、静音使用案内情報を適切な時間帯のみ出力手段から出力させるようにすることができ、静音での機器の使用が効果的になされる。
【００１４】
本発明は、機器に関する複数の使用案内情報を記憶する記憶手段と、前記使用案内情報を出力する出力手段とを備えた使用案内情報出力装置において、前記使用案内情報の出力要求信号を受信する受信手段と、前記出力要求信号を受信するときの前記機器の使用環境を示す使用環境情報を取得する使用環境情報取得手段と、前記記憶手段から、前記使用環境情報の使用環境に対応する前記使用案内情報を選択し、前記出力手段から出力する出力情報選択手段とを備えた。
【００１５】
従って、本発明によれば、入力手段が出力要求信号を入力した時の機器の使用環境に適した使用案内情報が出力手段から出力される。この結果、機器の使用案内情報が、使用環境に応じて選択されて出力手段から出力されるので、使用環境によって変化する機器の使用案内情報を的確に把握することができる。そして、使用環境によって変化する機器の機能の使用を推奨することができ、機器が効果的に使用されるようになる。
【００１６】
この使用案内情報出力装置において、前記使用環境情報は、少なくとも、気温、地理的環境、あるいは、天候に関する情報である。
これによれば、少なくとも、気温、地理的環境、あるいは、天候によって変化する機器の使用案内情報を的確に出力手段から出力させることができる。その結果、例えば、気温が高い時には、機器の部品を高温にも耐える部品に交換させることが望まれる可能性があるので、気温が高い時に出力要求信号を入力した場合には、部品交換に関する使用案内情報を優先的に出力手段から出力させることなどができるようになる。従って、少なくとも、気温、地理的環境、あるいは、天候によって変化する最適な機器の使用方法を推奨することができ、機器が効果的に使用されるようになる。
【００１７】
本発明は、使用案内情報出力装置の記憶手段に複数記憶されている機器の使用案内情報を、前記使用案内情報出力装置の出力手段を介して出力する使用案内情報出力方法において、前記使用案内情報の出力要求信号を受信する受信段階と、前記出力要求信号を受信した時に対応する時間帯を判別する時間帯情報判別段階と、前記記憶手段から、前記時間帯情報判別段階において判別された時間帯に対応する前記使用案内情報を選択し、前記出力手段から出力する出力情報選択段階とを備えた。
【００１８】
従って、本発明によれば、入力手段が出力要求信号を入力した時間帯に適した使用案内情報が出力手段から出力される。この結果、機器の使用案内情報が、時間帯に応じて選択されて出力手段から出力されるので、時間帯によって変化する機器の使用案内情報を的確に把握することができる。そして、時間帯によって変化する機器の最適な使用方法を推奨することができ、機器が効果的に使用されるようになる。
【００１９】
本発明は、使用案内情報出力装置の記憶手段に複数記憶されている機器の使用案内情報を、前記使用案内情報出力装置の出力手段を介して出力するためのプログラムにおいて、前記使用案内情報出力装置を、前記使用案内情報の出力要求信号を受信する受信手段、前記出力要求信号を受信した時に対応する時間帯を判別する時間帯情報判別手段、前記記憶手段から、前記時間帯情報判別手段によって判別された時間帯に対応する前記使用案内情報を選択し、前記出力手段から出力する出力情報選択手段として機能させる。
【００２０】
従って、本発明によれば、入力手段が出力要求信号を入力した時間帯に適した使用案内情報が出力手段から出力される。この結果、機器の使用案内情報が、時間帯に応じて選択されて出力手段から出力されるので、時間帯によって変化する機器の使用案内情報を的確に把握することができる。そして、時間帯によって変化する機器の最適な使用方法を推奨することができ、機器が効果的に使用されるようになる。
【００２１】
【発明の実施の形態】
以下、本発明を具体化した一実施形態を図１〜図５に従って説明する。
図１は、コンピュータのハードウェア構成を示すブロック回路図である。図１に示すように、使用案内情報出力装置としてのコンピュータ１１は、制御部１２、記憶部１３、入力部１４、出力手段としての表示部１５、時計１６を備え、これらは、バス１８によってお互いに接続されている。
【００２２】
受信手段、時間帯情報判別手段、出力情報選択手段としての制御部１２はＣＰＵを備え、記憶部１３に格納されている各種の制御プログラムに従って、コンピュータ１１の全体を制御する。記憶部１３は、ＲＯＭ（読み出し専用メモリ）２１、ＲＡＭ（読み出し及び書き込み用メモリ）２２、及び記憶手段としてのＨＤ（ハードディスク）２３を備えている。ＲＯＭ２１にはコンピュータ１１の起動等に必要な最小限のプログラム及びデータが格納されている。ＲＡＭ２２には前記ＲＯＭ２１及びＨＤ２３に格納された各種プログラムの常駐領域及び作業領域がそれぞれ確保されている。ＨＤ２３には制御部１２が実行する各種の制御プログラム、各種のソフトウェア、各種データが格納されている。
【００２３】
制御部１２は、入力部１４、表示部１５、時計１６とアクセス可能となっている。入力部１４は、キーボード及びポインティングデバイス（例えばマウス）等を備えており、各種の文字・数字・画像データや各種動作の指示を入力する。表示部１５は、例えばＣＲＴ又は液晶ディスプレイ等の表示装置を備えており、各種画像を表示する。時計１６は、現在の時刻を取得する。また、制御部１２は、図示しないプリンタインタフェースを介して機器としてのプリンタ２５に対して接続されている。
【００２４】
そして、図２に示すように、前記ＨＤ２３には、このプリンタ２５の使用方法を表す電子マニュアルデータ２７が記憶されている。なお、この電子マニュアルデータ２７は、使用案内情報としての複数のファイルによって構成され、この複数のファイルには、ファイルＡ及びファイルＢが含まれている。そして、これらのファイルはＨＴＭＬによって作成されている。また、前記ＨＤ２３には、ＨＴＭＬ専用のソフトウェアであるＷＷＷブラウザ２８が記憶されており、電子マニュアルデータ２７の各ファイルは、このＷＷＷブラウザ２８によって実行される。
【００２５】
なお、前記ファイルＡ及びファイルＢが、ＷＷＷブラウザ２８によって実行されると、図３及び図４に示すような画像Ｐ１及び画像Ｐ２が表示部１５に表示されるようになっている。そして、ファイルＡ及びファイルＢは、ハイパーテキスト機能を有しており、画像Ｐ１及び画像Ｐ２上の記載項目を、アンダーライン等で識別表示するようになっている。そして、この識別表示された記載項目が前記入力部１４等を介して選択されると、関連付けられたリンク先の別のファイルが実行され、表示部１５上に、新たな画像が表示されるようになっている。
【００２６】
なお、本実施形態においては、ファイルＡにより表示される画像Ｐ１には、図３に示すように、アンダーラインで識別表示されている記載項目３１〜３３を備える。そして、これらの記載項目３１〜３３が、入力部１４等を介して選択されることによって、「普通紙／専用紙に印刷」、「Ｌ判／２Ｌ判に印刷」、「ハガキに印刷」といった、一般的な印刷方法を案内する表示を行うファイルが実行されるようになっている。
【００２７】
一方、図４に示すように、ファイルＢにより表示される画像Ｐ２には、アンダーラインで識別表示されている記載項目３４〜３６を備える。そして、これらの記載項目３４〜３６が選択されることによって、「サイレントモードで印刷」、「普通紙／専用紙に印刷」、「Ｌ判／２Ｌ判に印刷」といった印刷方法を案内するための表示を行うファイルが実行されるようになっている。
【００２８】
なお、この画像Ｐ２には、前記ファイルＡによる画像Ｐ１には表示されていなかった、「サイレントモードで印刷」という記載項目３４が、最も上位に位置するように表示されている。そして、この記載項目３４が選択されると、サイレントモードでの印刷方法を案内する表示を表示部１５上に表示させるための静音使用案内情報としてのファイルが実行されるようになる。なお、サイレントモードでの印刷方法とは、印刷を低速で行うことにより、通常よりも静音で印刷することのできる印刷方法のことである。
【００２９】
また、画像Ｐ２においては、前記画像Ｐ１おいて上位に表示されていた、「普通紙／専用紙に印刷」、「Ｌ判／２Ｌ判に印刷」という記載項目３５，３６については、下位に表示されるようになっている。すなわち、この画像Ｐ２については、サイレントモードといった、夜間に推奨される印刷方法を案内するための記載項目３４が、他の記載項目３５，３６よりも優先的に上位に表示され、実行されやすいようになっている。
【００３０】
図２に示すように、前記ＨＤ２３には、電子マニュアル起動プログラム３８が格納されている。この電子マニュアル起動プログラム３８は、前記入力部１４を介して電子マニュアルの起動を要求する操作がなされ、出力要求信号としての起動用操作信号が入力されると、その入力のあった時刻を時間情報として前記時計１６から取得するためのプログラムである。また、この電子マニュアル起動プログラム３８は、時間情報に示される時刻が、昼間（７：００〜２０：００）の時間帯であるか否かを判別するためのプログラムでもある。さらに、この電子マニュアル起動プログラム３８は、前記取得した時刻が、昼間の時間帯であった場合には、ファイルＡを実行し、昼間の時間帯でなかった場合には、ファイルＢを実行するためのプログラムでもある。
【００３１】
すなわち、制御部１２は、入力部１４から電子マニュアルの起動用操作信号を受信すると、前記電子マニュアル起動プログラム３８に従って、時計１５から操作信号を入力した時刻を時間情報として取得する。そして、制御部１２は、その時間情報が示す時刻が昼間の時間帯であるか否かを判別する。そして、取得した時刻が昼間の時間帯であった場合には、電子マニュアルを構成するファイルの中からファイルＡを選択して実行する。また、取得した時刻が昼間の時間帯でなければ、電子マニュアルを構成するファイルの中からファイルＢを選択して実行する。
【００３２】
次に、本実施形態における制御部１２の作用について、図５に従って説明する。まず、ユーザが前記プリンタ２５の操作方法を知りたいと思い、コンピュータ１１の入力部１４を介して、電子マニュアルの起動を希望する旨を操作すると、コンピュータ１１の制御部１２は、受信段階に移り、電子マニュアルの起動用の操作信号を受信する（ステップＳ１）。次に、制御部１２は、ＨＤ２３の電子マニュアル起動プログラム３８に従って、前記操作信号の受信のあった時刻を前記時計１５から取得する（ステップＳ２）。
【００３３】
続いて、制御部１２は、時間帯情報判別段階に移り、取得した時刻が７：００〜２０：００の間の時間帯に含まれる時刻であるか否かを判別する。そして、例えば、ステップＳ２において取得した時刻が「１３：００」であった場合には、制御部１２は、昼間の時間帯であると判別し（ステップＳ３でＹＥＳ）、ステップＳ４に移る。そして、制御部１２は、出力情報選択段階に移り、ＨＤ２３からファイルＡを選択して実行し、画像Ｐ１を表示部１５に表示させ、電子マニュアル起動プログラム３８の処理を終了する（ステップＳ４）。
【００３４】
従って、ユーザが、例えば、「１３：００」といった、昼間の時間帯に含まれる時刻において、入力部１４を介して電子マニュアルの起動用操作信号を入力すると、表示部１５に、画像Ｐ１が表示される。そして、ユーザは、この画像Ｐ１を見て、目的とする記載項目３１〜３３を前記入力部１４を介して選択し、プリンタ２５の使用方法を理解する。
【００３５】
一方、ステップＳ２において取得した時刻が、例えば、「２２：００」といった、昼間の時間帯に含まれない時刻であった場合には、制御部１２は、取得した時刻が昼間の時間帯ではなく、夜間の時間帯であると判別し（ステップＳ３でＮＯ）、ステップＳ５に移る。そして、制御部１２は、ＨＤ２３からファイルＢを選択して実行し、画像Ｐ２を表示部１５に表示させ、電子マニュアル起動プログラム３８の処理を終了する（ステップＳ５）
従って、ユーザが、例えば、「２２：００」といった、昼間の時間帯に含まれない時刻に、入力部１４を介して電子マニュアルの起動用操作信号を入力すると、表示部１５に、画像Ｐ２が表示される。なお、この画像Ｐ２には、「サイレントモードで印刷」といった、夜間において推奨される印刷方法を案内するための記載項目が優先的に表示されるようになっている。
【００３６】
従って、昼間の時間帯ではなく、夜間の時間帯においては、電子マニュアルを起動させると、夜間において推奨される使用方法を案内するための記載項目が優先的に表示されるので、ユーザがそのような使用方法を知る機会が増える。その結果、プリンタ２５が、時間帯に適した使用方法で使用される可能性が高くなり、プリンタ２５の機能が効果的に活用されるようになる。
【００３７】
上記実施形態によれば、以下のような特徴を得ることができる。
（１）上記実施形態では、コンピュータ１１の制御部１２は、入力部１４を介して電子マニュアルの起動用操作信号を受信すると、時計１６から、起動用操作信号を入力した時間を取得する。そして、制御部１２は、取得した時間が、昼間の時間帯であるか否かを判別する。そして、判別した時間帯に応じて、ＨＤ２３に記憶されているファイルＡあるいはファイルＢを実行し、表示部１５に画像Ｐ１あるいは画像Ｐ２を表示させるようにした。
【００３８】
従って、プリンタ２５の電子マニュアルが起動されて、最初に表示部１５に表示される画像が、起動用操作信号の入力のあった時間帯によって変化して表示される。その結果、時間帯によって変化するプリンタ２５の使用方法を、ユーザに対して的確に推奨することができる。従って、ユーザが、プリンタ２５の推奨される機能を、適切な時に実行する可能性が高まり、プリンタ２５の機能が有効に活用されるようになる。
【００３９】
（２）上記実施形態では、制御部１２は、起動用操作信号の入力が、昼間の時間帯であるか否かによって、表示部１５から表示する画像Ｐ１，Ｐ２を選択するようにした。従って、昼間と夜間との違いによって変化するプリンタ２５の使用方法を、ユーザに積極的に知ってもらうようにすることができ、プリンタ２５の機能が有効に活用されるようになる。
【００４０】
（３）上記実施形態では、昼間の時間帯でないときには、表示部１５に表示される画像Ｐ２には、「サイレントモードで印刷」という記載項目３４が最上位に表示されるようにした。この結果、例えば、夜間には、プリンタ２５を静かに使用させることが望まれる可能性が高いので、夜間に積極的にサイレントモードでの印刷が行われるように推奨することができる。
【００４１】
反対に、昼間には、サイレントモードでの印刷は不要なので、このような記載項目３４が画像Ｐ１に表示されないようにした。この結果、「サイレントモードで印刷」という記載項目３４を適切な時間帯にのみ出力するようにでき、サイレントモードでのプリンタ２５の使用が効果的になされるようになる。
【００４２】
なお、上記実施形態は以下のように変更してもよい。
・上記実施形態では、昼間の時間帯を、７：００〜２０：００としたが、これ以外の時間帯とするようにしてもよい。
【００４３】
・上記実施形態では、時間帯を、昼間と、夜間との２つに分け、電子マニュアルが起動される場合には、この２つの時間帯に対応するファイルＡ，Ｂのいずれかが、制御部１２によって選択実行されるようにした。これを、時間帯を、３つ以上の時間帯に分けるようにし、各時間帯に対応するファイルをＨＤ２３に記憶させ、電子マニュアルが起動される場合には、各時間帯に応じたファイルが制御部１２によって選択実行されるようにしてもよい。
【００４４】
・上記実施形態では、夜間に表示部１５に表示される画像Ｐ２は、「サイレントモードで印刷」という記載項目３４を含むようにした。これを、夜間の時間帯に使用が推奨されるその他の記載項目であれば、その他の記載項目を画像Ｐ２に含ませるようにしてもよい。例えば、「スロースピードモードで印刷」といった記載項目を記載するようにしてもよい。
【００４５】
・上記実施形態では、制御部１２は、入力部１４からの起動用操作信号の入力のあった時間帯に応じて、ＨＤ２３に記憶されているファイルＡあるいはファイルＢを実行するようにした。これを、制御部１２を使用環境情報取得手段として機能させるようにし、入力部１４からの起動用操作信号の入力のあったときにおけるプリンタ２５の使用環境情報を取得し、その使用環境情報に応じたファイルを、ＨＤ２３から選択して実行するようにしてもよい。
【００４６】
なお、使用環境情報としては、気温、地理的環境、天候に関する情報でもよい。そして、例えば、気温については、図６に示すように、プリンタ２５に備えられている温度センサ２５ａを介して制御部１２が取得するようにしてもよい。また、制御部１２が、気温、地理的環境、天候等の情報をインターネット等のネットワークを介して公的機関等から取得するようにしてもよい。
【００４７】
・上記実施形態では、プリンタ２５は、コンピュータ１１に接続されて使用されるようにした。これを、プリンタ２５がコンピュータ１１に対して接続されない状態でも使用される、いわゆる、スタンドアロンタイプのプリンタとするようにしてもよい。そして、このような場合には、プリンタ２５に、コンピュータ１１の前記制御部１２、記憶部１３、入力部１４、表示部１５、時計１６と同様のものを備えるようにする。このようにすれば、スタンドアロンタイプのプリンタにおいても、上記実施形態と同様にして、時間帯によって変化するプリンタの使用方法を、プリンタの表示部を介してユーザに対して的確に推奨することができる。
【００４８】
・上記実施形態では、電子マニュアルは、機器としてのプリンタに関するマニュアルとして説明したが、使用時期や使用環境によってその推奨される使用方法が変化するものであれば、デジタルカメラ等のプリンタ以外の機器に関するマニュアルとしてもよい。
【図面の簡単な説明】
【図１】本実施形態におけるコンピュータの概略構成を示すブロック図。
【図２】同じく、ＨＤに記憶されているデータの説明図。
【図３】同じく、表示部に表示される画像の概念図。
【図４】同じく、表示部に表示される画像の概念図。
【図５】同じく、電子マニュアル起動プログラムのフローチャート図。
【図６】別例における、コンピュータの概略構成を示すブロック図。
【符号の説明】
Ａ，Ｂ…使用案内情報としてのファイル、１１…使用案内情報出力装置としてのコンピュータ、１２…受信手段、時間帯情報判別手段、出力情報選択手段、使用環境情報取得手段としての制御部、１５…出力手段としての表示部、２３…記憶手段としてのＨＤ、２５…機器としてのプリンタ。
【図１】
2004206457.tif 000003
【図２】
2004206457.tif 000004
【図３】
2004206457.tif 000005
【図４】
2004206457.tif 000006
【図５】
2004206457.tif 000007
【図６】
2004206457.tif 000008